【手続補正書】
【提出日】平成18年9月19日(2006.9.19)
【手続補正１】
【補正対象書類名】明細書
【補正対象項目名】００４２
【補正方法】変更
【補正の内容】
【００４２】
図２は、あるチャンネルにおける番組の放送態様の一例を示している。図２に示すように、チャンネル３００では、タイトル「映画○○○○」の１時間番組が、繰り返し放送されている。
【手続補正２】
【補正対象書類名】明細書
【補正対象項目名】００５５
【補正方法】変更
【補正の内容】
【００５５】
図４は、複数のチャンネルで同一番組を放送している場合の放送態様の一例を示している。図４に示すように、チャンネル３００、４００、５００では、タイトル「映画○○○○」の１時間番組が、繰り返し放送されている。ただし、各チャンネル間で番組の放送開始時間はずれているものとする。
【手続補正３】
【補正対象書類名】明細書
【補正対象項目名】００５７
【補正方法】変更
【補正の内容】
【００５７】
さらに、制御部２５は、チャンネル３００で現在放送されている番組のタイトルと番組詳細情報と番組長と、チャンネル４００で現在放送されている番組および９：２０から放送される番組のタイトルと番組詳細情報と番組長とを比較し、さらにチャンネル５００で現在放送されている番組および９：４０から放送される番組のタイトルと番組詳細情報と番組長とを比較し、一致するか否かを判断する。この場合、３チャンネルとも全て一致していることから、制御部２５は、チャンネル３００、４００、５００が同一の番組を繰り返し放送しており、チャンネル間の時間ずれは２０分の等間隔であること、記録指示された以降に最も早く番組先頭が出現するチャンネルはチャンネル３００であることを判断する。
【手続補正４】
【補正対象書類名】明細書
【補正対象項目名】００６４
【補正方法】変更
【補正の内容】
【００６４】
制御部２５は、記録／再生制御部２７から再生情報を受け取ると、最初に配列されているチャンネル３００の識別子を分離回路３０に設定する。これにより、ハードディスク２８から読み出されたストリームは、分離回路３０においてチャンネル３００のストリームのみが抽出され、デコーダ２３でデコードされた後、ＣＲＴ２４に表示される。また、記録／再生制御部２７は、ハードディスク２８の読み出し位置を常時監視しており、時刻Ｔ３の記録位置に達したら、時刻Ｔ３までのストリーム読み出しが終了したことを制御部２５に通知する。
【手続補正５】
【補正対象書類名】明細書
【補正対象項目名】００６５
【補正方法】変更
【補正の内容】
【００６５】
記録／再生制御部２７は、続けて時刻Ｔ２の記録位置からの読み出しを開始する。このとき、制御部２５は、再生情報の次に配置されているチャンネル５００の識別子を分離回路３０に設定する。これによって、ハードディスク２８から読み出されたストリームは、分離回路３０においてチャンネル５００のストリームのみが抽出され、デコーダ２３でデコードされた後、ＣＲＴ２４に表示される。また、記録／再生制御部２７は、上記と同様にハードディスク２８の読み出し位置を監視し、時刻Ｔ３の記録位置に達したら、時刻Ｔ３までのストリーム読み出しが終了したことを制御部２５に通知する。
【手続補正６】
【補正対象書類名】明細書
【補正対象項目名】００６６
【補正方法】変更
【補正の内容】
【００６６】
記録／再生制御部２７は、続けて時刻Ｔ２の記録位置からの読み出しを開始する。このとき、制御部２５は、再生情報の次に配置されているチャンネル４００の識別子を分離回路３０に設定する。これによって、ハードディスク２８から読み出されたストリームは、分離回路３０によってチャンネル４００のストリームのみが抽出され、デコーダ２３でデコードされた後、ＣＲＴ２４に表示される。また、記録／再生制御部２７は、上記と同様にハードディスク２８の読み出し位置を監視し、時刻Ｔ３の記録位置に達したら、時刻Ｔ３までのストリーム読み出しが終了したことを制御部２５に通知する。
【手続補正７】
【補正対象書類名】明細書
【補正対象項目名】００６７
【補正方法】変更
【補正の内容】
【００６７】
記録／再生制御部２７は、続けて時刻Ｔ２の記録位置からの読み出しを開始する。このとき、制御部２５は、再生情報の次に配置されているチャンネル３００の識別子を分離回路３０に設定する。これによって、ハードディスク２８から読み出されたストリームは、分離回路３０によってチャンネル３００のストリームのみが抽出され、デコーダ２３でデコードされた後、ＣＲＴ２４に表示される。また、制御部２５は、再生情報が最後のチャンネルの識別子になったことを記録／再生制御部２７に通知する。応じて、記録／再生制御部２７は、時刻Ｔ１の記録位置に達したときハードディスク２８からの読み出しを停止する。
【手続補正８】
【補正対象書類名】明細書
【補正対象項目名】００７２
【補正方法】変更
【補正の内容】
【００７２】
送信装置４０は、番組管理部４１と、番組蓄積部４２と、エンコーダ４３１〜４３ｎと、カウンタ４５１〜４５ｎと、多重部４７と、送信部４８とを備えている。番組管理部４１は、送信装置４０が送出する番組を管理する。番組蓄積部４２は、送信すべき番組情報を蓄積している。エンコーダ４３１〜４３ｎは、番組管理部４１からの指示を受け、番組蓄積部４２からの番組情報を符号化する。カウンタ４５１〜４５ｎは、それぞれ、番組管理部４１からの番組先頭情報に応答してカウント値を０とし、エンコーダ４３１〜４３ｎがシーケンスヘッダを作成する毎にカウント値をインクリメントする。多重部４７は、複数のエンコーダ４３１〜４３ｎからの符号化情報をトランスポートパケットに分割して多重する。送信部４８は、多重部４７の出力を送信するための変調、アップコンバートを行う。
【手続補正９】
【補正対象書類名】明細書
【補正対象項目名】００７４
【補正方法】変更
【補正の内容】
【００７４】
記録再生装置５０は、チューナ５１と、分離部５２と、デコーダ５３と、ＣＲＴ５４と、制御部５５と、ヘッダ検出部５６と、記録／再生制御部５７と、ハードディスク５８と、バス５９とを備えている。分離部５２は、分離回路６０と、スイッチ６１，６２，６３とを含む。
【手続補正１０】
【補正対象書類名】明細書
【補正対象項目名】００７７
【補正方法】変更
【補正の内容】
【００７７】
図６は、あるチャンネルにおける番組の放送態様の一例を示している。図６に示すように、チャンネル３００では、タイトル「映画○○○○」の１時間番組が、繰り返し放送されている。
【手続補正１１】
【補正対象書類名】明細書
【補正対象項目名】００８６
【補正方法】変更
【補正の内容】
【００８６】
カウンタ７５１〜７５ｎは、それぞれ、対応するエンコーダ７３１〜７３ｎに与えられる番組情報が番組の先頭に対応する部分であるとき、番組管理部７１からの信号に応答してカウント値を０にクリアした値を出力する。エンコーダ７３１〜７３ｎは、それぞれ、シーケンスヘッダを作成するときにカウンタ７５１〜７５ｎからのカウント値をシーケンスヘッダの拡張されたユーザ領域に設定した後、ヘッダ情報の符号化を行ない、符号化情報を多重部７７に出力する。なお、エンコーダ７３１〜７３ｎは、ＭＰＥＧ２の規格に準拠して、フレーム毎にフレームヘッダを、ＧＯＰ毎にＧＯＰヘッダを、所定数のＧＯＰ毎にシーケンスヘッダを作成する。さらに、エンコーダ７３１〜７３ｎは、それぞれ、シーケンスヘッダを作成した後、カウンタ７５１〜７５ｎのカウント値をインクリメントするための信号を出力し、カウンタ７５１〜７５ｎのカウント値をインクリメントさせる。これにより、番組先頭で０となり、シーケンスヘッダ毎にインクリメントされた番組内での通し番号を、シーケンスヘッダの拡張されたユーザ領域で送ることができる。
【手続補正１２】
【補正対象書類名】明細書
【補正対象項目名】００８８
【補正方法】変更
【補正の内容】
【００８８】
チューナ８１は、番組を選局し、１トランスポンダのトランスポートストリームを出力する。なお、記録再生装置としては、外付けされたチューナからトランスポートストリームを入力するようにしても良い。分離部８２は、特定番組のストリームおよび番組関連情報を分離すると共に、ストリームの切り替えを行う。デコーダ８３は、分離されたストリームをデコードし映像音声を再生する。ＣＲＴ８４は、デコードされた映像を表示する。制御部８５は、ＣＰＵを含み、記録再生装置全体を制御する。ヘッダ検出部８６は、特定ストリーム中のシーケンスヘッダの拡張されたユーザ領域から番組内でのシーケンス単位の通し番号であるカウント値を抽出する。記録／再生制御部８７は、ハードディスク８８に対するストリームの記録および再生を制御する。バス８９は、制御部８５と各ブロックとの間を接続し、制御信号等を伝送する。分離回路９０は、ストリーム中から特定番組のストリームおよび関連情報を分離する。スイッチ９１，９２，９３は、ストリームを切り替える。
【手続補正１３】
【補正対象書類名】明細書
【補正対象項目名】００９０
【補正方法】変更
【補正の内容】
【００９０】
図８は、複数のチャンネルで同一番組を放送している場合の放送態様の一例を示している。図８に示すように、チャンネル３００、４００、５００では、タイトル「映画○○○○」の１時間番組が、繰り返し放送されている。ただし、各チャンネル間で番組の放送開始時間はずれているものとする。
【手続補正１４】
【補正対象書類名】明細書
【補正対象項目名】００９２
【補正方法】変更
【補正の内容】
【００９２】
さらに、制御部８５は、チャンネル３００で現在放送されている番組のタイトルと番組詳細情報と番組長と、チャンネル４００で現在放送されている番組および９：２０から放送される番組のタイトルと番組詳細情報と番組長とを比較し、さらにチャンネル５００の現在放送されている番組および９：４０から放送される番組のタイトルと番組詳細情報と番組長とを比較し、一致するか否かを判断する。この場合、３チャンネルとも全て一致していることから、制御部８５は、チャンネル３００、４００、５００が同一の番組を繰り返し放送しており、チャンネル間の時間ずれは２０分の等間隔であること、記録指示された以降に最も早く番組先頭が出現するチャンネルはチャンネル３００であることを判断する。
【手続補正１５】
【補正対象書類名】明細書
【補正対象項目名】００９７
【補正方法】変更
【補正の内容】
【００９７】
制御部８５は、記録／再生制御部８７から再生情報を受け取ると、最初に配列されているチャンネル３００の識別子を分離回路９０に設定する。これにより、ハードディスク８８から読み出されたストリームは、分離回路９０においてチャンネル３００のストリームのみが抽出され、デコーダ８３でデコードされた後、ＣＲＴ８４に表示される。また、記録／再生制御部８７は、ハードディスク８８の読み出し位置を常時監視しており、時刻Ｃ３の記録位置に達したら、時刻Ｃ３までのストリーム読み出しが終了したことを制御部８５に通知する。
【手続補正１６】
【補正対象書類名】明細書
【補正対象項目名】００９８
【補正方法】変更
【補正の内容】
【００９８】
記録／再生制御部８７は、続けてタイミングＣ２の記録位置からの読み出しを行う。このとき、制御部８５は、再生情報の次に配置されているチャンネル５００の識別子を分離回路９０に設定する。これによって、ハードディスク８８から読み出されたストリームは、分離回路９０においてチャンネル５００のストリームのみが抽出され、デコーダ８３でデコードされた後、ＣＲＴ８４に表示される。また、記録／再生制御部８７は、上記と同様にハードディスク８８の読み出し位置を監視し、時タイミングＣ３の記録位置に達したら、タイミングＣ３までのストリーム読み出しが終了したことを制御部８５に通知する。
【手続補正１７】
【補正対象書類名】明細書
【補正対象項目名】００９９
【補正方法】変更
【補正の内容】
【００９９】
記録／再生制御部８７は、続けてタイミングＣ２の記録位置からの読み出しを開始する。このとき、制御部８５は、再生情報の次に配置されているチャンネル４００の識別子を分離回路３０に設定する。これによって、ハードディスク８８から読み出されたストリームは、分離回路３０においてチャンネル４００のストリームのみが抽出され、デコーダ８３でデコードされた後、ＣＲＴ８４に表示される。また、記録／再生制御部８７は、上記と同様にハードディスク８８の読み出し位置を監視し、タイミングＣ３の記録位置に達したら、タイミングＣ３までのストリーム読み出しが終了したことを制御部８５に通知する。
【手続補正１８】
【補正対象書類名】明細書
【補正対象項目名】０１００
【補正方法】変更
【補正の内容】
【０１００】
記録／再生制御部８７は、続けてタイミングＣ２の記録位置からの読み出しを開始する。このとき、制御部８５は、再生情報の次に配置されているチャンネル３００の識別子を分離回路９０に設定する。これによって、ハードディスク８８から読み出されたストリームは、分離回路９０によってチャンネル３００のストリームのみが抽出され、デコーダ８３でデコードされた後、ＣＲＴ８４に表示される。また、制御部８５は、再生情報が最後のチャンネルの識別子分離になったことを記録／再生制御部８７に通知する。応じて、記録／再生制御部８７は、タイミングＣ１の記録位置に達したときハードディスク８８からの読み出しを停止する。